(57)【要約】【課題】  底背面照明方式の自動販売機用商品見本において、その全体の構成を簡略化して、製造コストを低減するとともに現実の販売商品に近い状態で展示される自動販売機用商品見本の提供。【解決手段】  見本展示用ステージ１の見本装着用プレート４に着脱自在に装着される見本表示体支持具１１と、見本表示体支持具１１に着脱自在に装着される見本表示体１２とを備え、見本表示体支持具１１は、見本装着用プレート４に着脱可能に装着される基盤部１３と、基盤部１３の表面に一体に形成された見本表示体取付部１４とを備え、見本表示体１２は、熱可塑性合成樹脂板材３０をプレス加工して容器を前後に半割した形状に成形するとともに、その容器半体下部の縁部を基盤部１３に沿ってカットした傾斜部２２と、側縁に一体に形成され見本表示体取付部１４に係止される係止片２４，２４とを一体に備えた。【選択図】  図１
2005173850.tif 000002
【特許請求の範囲】
【請求項１】
自動販売機の前面部に設置された見本展示用ステージの前面側に配置された斜め上向きの見本装着用プレートに着脱自在に装着される見本表示体支持具と、該見本表示体支持具に着脱自在に装着され、販売商品を表示する見本表示体とを備えてなる自動販売機用商品見本において、
前記見本表示体支持具は、前記見本装着用プレートに形成された照明用透孔と整合する照明用透孔を有し、前記見本装着用プレートに着脱可能に装着される基盤部と、該基盤部の表面に一体に形成され、前記見本表示体の両縁を着脱自在に支持する見本表示体取付部とを備え、
前記見本表示体は、透光性を有する熱可塑性合成樹脂板材をプレス加工して容器を前後に半割した形状に成形するとともに、その容器半体下部の縁部を前記基盤部に沿ってカットした傾斜部と、側縁に一体に形成され前記見本表示体取付部に係止される係止片とを一体に備えたことを特徴としてなる自動販売機用商品見本。
【請求項２】
見本表示体は、その下縁に見本表示体支持具の基盤部に形成された係止孔に係止される係止突起を一体に備えた請求項１に記載の自動販売機用商品見本。
【請求項３】
上下寸法の異なる見本表示体において、各見本表示体の係止片より下側の部分の構成を共通化することにより、共通の見本表示体支持具に対し前記各見本表示体を交換可能とした請求項１又は２に記載の自動販売機用商品見本。
【発明の詳細な説明】
【技術分野】
【０００１】
本発明は、主に缶又はペットボトル入り飲料等の自動販売機用商品見本に関する。
【背景技術】
【０００２】
従来、ペットボトル入り飲料等の自動販売機では、その商品見本として販売商品と同じ缶やペットボトル等の容器を自動販売機の前面部に設置された見本展示用ステージに陳列し、それらの前方上下から前面に光を当てるようにしたものが使用されている。
【０００３】
しかし、見本外部から照光する方式では照明効果が薄いため、透光性の商品見本を使用し、見本内部に照光して見本全体を浮かび上がらせるようにした言わば内部照明方式が広く採用され、これらの内部照明方式の商品展示見本は、取換え可能な合成樹脂性の薄板に印刷を施した透光性の見本表示体が使用され、色あせによって消費者の購買意欲を減じさせないこと、及び販売商品の変更に合わせて迅速に交換できるようにするために、見本表示体を必要に応じて取換えできるようにしている。
【０００４】
この内部照明方式の商品見本には、例えば、図１２に示すように、商品の底部を前方斜め上向きの見本展示用ステージ１に埋め込んだように見えるように、傾斜した見本展示用ステージ１に沿って切断した形状の商品見本２を装着し、見本展示用ステージ１の背面に照明器具３を置き、見本展示用ステージ１の照明用透孔を通して商品見本の底部背面から内部を照明する言わば底背面照明方式のものが知られている。
【０００５】
この商品見本２は、自動販売機の前面部に設置された見本展示用ステージ１の前面側に配置された斜め上向きの見本装着用プレート４に形成された照明用透孔を兼ねた取付孔５，５…に対し着脱自在に装着される缶やペットボトル等の容器の形状に似せた外観を有する合成樹脂製の見本表示体支持具６と、見本表示体支持具６の前面に着脱自在に装着され、商品の外観を印刷したフィルム状の見本表示体７とを備え、見本表示体７を背面側斜め下方から照明するようになっている。
【発明の開示】
【発明が解決しようとする課題】
【０００６】
上述の底背面照明方式の商品見本は、商品の外観を印刷したフィルム状の見本表示体を背面側斜め下方から照明するものであるため、見本展示用ステージ内の照明を有効に利用し、少ない照明器具で効果的な照明がなされる点で優れている。
【０００７】
しかし、前述した図１１に示す従来の底背面照明方式では、見本表示体支持具の形状が複雑であるため、合成樹脂によるモールド成形をする際に、成形型の形状が複雑となり、見本表示体支持具の製造コストが嵩むという問題があり、その一方で見本表示体支持具の材質や形状が実際の商品と異なり、現実感に欠けるという問題もある。
【０００８】
更に、この商品見本では、自動販売機の販売商品を入れ替える際に、フィルム状の見本表示体を交換することによって他商品の商品見本への入れ替えを設置現場において容易に行うことができるが、２８０ｍｌ用ペットボトルと５００ｍｌ用ペットボトルのように、上下方向の寸法が異なる商品を入れ替える際には、商品見本を見本表示体支持具ごと交換しなければならず、設置場所における交換が煩わしいという問題がある。
【０００９】
また、この商品見本では、全体の外観において、モールド成形される見本表示体支持具の露出する割合が多く、したがって高い商品イメージを維持するためには、フィルム状の見本表示体のみならず、見本表示体支持具の交換をも頻繁に行う必要が生じるという問題がある。
【００１０】
そこで本発明は、上述の従来技術の問題を鑑み、底背面照明方式の自動販売機用商品見本において、その全体の構成を簡略化して、製造コストを低減するとともに現実の販売商品に近い状態で展示される自動販売機用商品見本の提供を目的としてなされたものである。
【課題を解決するための手段】
【００１１】
上述の如き従来の問題を解決し、所期の目的を達成するための請求項１に記載の発明は、自動販売機の前面部に設置された見本展示用ステージの前面側に配置された斜め上向きの見本装着用プレートに着脱自在に装着される見本表示体支持具と、該見本表示体支持具に着脱自在に装着され、販売商品を表示する見本表示体とを備えてなる自動販売機用商品見本において、
前記見本表示体支持具は、前記見本装着用プレートに形成された照明用透孔と整合する照明用透孔を有し、前記見本装着用プレートに着脱可能に装着される基盤部と、該基盤部の表面に一体に形成され、前記見本表示体の両縁を着脱自在に支持する見本表示体取付部とを備え、
前記見本表示体は、透光性を有する熱可塑性合成樹脂板材をプレス加工して容器を前後に半割した形状に成形するとともに、その容器半体下部の縁部を前記基盤部に沿ってカットした傾斜部と、側縁に一体に形成され前記見本表示体取付部に係止される係止片とを一体に備えた自動販売機用商品見本であることを特徴する。
【００１２】
請求項２に記載の発明は、請求項１の構成に加え、見本表示体は、その下縁に見本表示体支持具の基盤部に形成された係止孔に係止される係止突起を一体に備えたことを特徴とする。
【００１３】
請求項３に記載の発明は、請求項１又は２の構成に加え、上下寸法の異なる見本表示体において、各見本表示体の係止片より下側の部分の構成を共通化することにより、共通の見本表示体支持具に対し前記各見本表示体を交換可能としたことを特徴とする。
【発明の効果】
【００１４】
本発明に係る自動販売機用商品見本は、透光性を有する熱可塑性合成樹脂板材をプレス加工して缶やペットボトル等の容器を前後に半割した形状に成形したことによって、見本表示体の形状を簡素化し、コストを低減するとともに、見本表示体全体が照明を受けて鮮明度が増し、顧客吸引効果が増大する。
【００１５】
また、見本表示体をブロー成形を行わずに、現実の缶やペットボトル等の容器に似せた形状に成形できるので現実感のある商品見本を安価に製造することができる。
【００１６】
また、共通の見本表示体支持具に対して、２８０ｍｌペットボトル用見本表示体と５００ｍｌペットボトル用見本表示体のように上下寸法の異なる見本表示体が取付可能となりコストが低減される。
【発明を実施するための最良の形態】
【００１７】
次に、本発明に係る自動販売機用商品見本について説明する。尚、上述の従来例と同一の部分には、同一符号を付して説明を省略する。
【００１８】
図１は、商品見本を自動販売機の前面部に設置された見本展示用ステージに取り付けた状態を示し、図中符号１０は商品見本、符号１は見本展示用ステージである。
【００１９】
見本展示用ステージ１は、図１１に示す従来例と同様に、前面側に斜め上向きに傾斜した見本装着プレート４を備え、見本装着プレート４には、間隔を隔てて照明用透孔を兼ねた複数の取付孔５，５…が形成されている。
【００２０】
商品見本１０は、この取付孔５に取り付けられるようになっている。
【００２１】
また、見本展示用ステージ１の内部には、照明用の蛍光灯３が配置され、取付孔５を通して商品見本１０を照らすようになっている。
【００２２】
商品見本１０は、図３、図４に示すように、見本装着プレート４に装着される見本表示体支持具１１と、見本表示体支持具１１に着脱自在に装着される見本表示体１２とを備えている。
【００２３】
見本表示体支持具１１は、図５〜図７に示すように、見本装着用プレート４の表面に当接されて保持される斜め配置の基盤部１３を有し、基盤部１３の上縁部に、垂直方向に立ち上げられた見本表示体取付部１４を一体に有している。
【００２４】
基盤部１３には、照明用の光透過孔１５が形成され、その開口縁部背面に対ステージ固定用の枠状をした固定用凸部１６が突設され、この固定用凸部１６を見本装着用プレート４に形成された取付孔５に挿入し、固定用凸部１６の外縁部を取付孔５の内縁に嵌合させることにより見本表示体支持具１１が見本装着プレート４に装着されるようになっている。
【００２５】
固定用凸部１６は、その上端及び下端の側部に取付孔５の内縁部が嵌り込む溝１６ａ，１６ａが形成され、固定用凸部１６を取付孔５に挿入し、見本装着プレート４の斜面に沿ってスライドさせることにより、溝１６ａに取付孔５の内縁部が嵌り込み固定されるようになっている。
【００２６】
また、基盤部１３の表面下端部には、見本表示体１２の下縁が支持される円弧状の下縁支持部１７が一体に形成されている。
【００２７】
この下縁支持部１７の略中央部には、見本表示体１０の下縁より突出した係止突起１８が係止される係止孔１９が形成されている。
【００２８】
見本表示体取付部１４は、基盤部１３の側縁に沿って立ち上げた側壁２０，２０を備え、両側壁２０，２０には後方側が解放された係止凹部２１が形成されている。
【００２９】
見本表示体１２は、透光性を有する熱可塑性樹脂製の板材をプレス加工することにより、缶やペットボトル等の容器を前後に半割した形状に成形する。
【００３０】
見本表示体１２の下部には、見本表示体支持具１１の基盤部１３の傾斜に合わせて縁部をカットした傾斜部２２が形成され、この傾斜部２２が基盤部１３に沿って見本表示体支持具１１に保持されるようになっている。
【００３１】
また、見本表示体１２の下縁中央には、下向きに突出した係止突起１８が一体に形成され、この係止突起１８を基盤部１３の下縁支持部１７に形成された係止孔１９に係止させることにより、見本表示体１２の下縁部が見本表示体支持具１１に対し保持されるようになっている。
【００３２】
見本表示体１２の両側縁には、折り目２３を介して係止片２４が一体に形成されている。
【００３３】
この係止片２４は、折り目２３とは反対側の端部の両縁部に係止突起２５，２５を備えた略Ｔ字状に形成されており、この係止片２４を折り目２３より内側に折り曲げ、係止凹部２１を通して見本表示体取付部１４の側壁２０内側面、即ち係止凹部２１の縁部に係止突起２５，２５を当接させて係止させることにより、見本表示体１２を見本表示体支持具１１に固定するようになっている。
【００３４】
このとき、係止片２４は、弾性により外側に付勢され、元の位置に戻ろうとする為、係止突起２５，２５が好適に接触圧で側壁２０の内側面に当接するようになっている。
【００３５】
この見本表示体１２を成形するには、まず、透光性を有する熱可塑性樹脂材からなる板材３０に商品を表示する印刷３１を施す。このとき、成形による膨張を考慮して所定の収縮率により収縮して印刷を行う。
【００３６】
次に、加熱しながらプレス加工し、図８に示すように、板材３０の表面より容器前半体が突出した形状に成形する。
【００３７】
そして、図に示す一点鎖線３２に沿って見本表示体１２の外輪郭を切り取った後、二点鎖線３３にそって下部を斜めにカットし、傾斜部２２を形成し完成する。
【００３８】
尚、上述の実施例では、２８０ｍｌペットボトル用見本表示体１２を使用した商品見本１０について説明したが、商品見本１０は、係止片２４より下側の部分の構成を共通化することにより、図９、図１０に示すように、５００ｍｌペットボトル用見本表示体４０を共通の見本表示体支持具１１に対して取り付けることができ、その他各容量（２８０ｍｌ〜５００ｍｌ）のペットボトル用見本表示体との交換も可能となっている。
【００３９】
また、上述の実施例では、ペットボトル用の見本表示体１２，４０を使用した例について説明したが、図１１に示す如き缶用の見本表示体も使用することができる。
【００４０】
見本表示体は、係止片２４より下側の部分の構成を上述の見本表示体１２，４０と共通化することにより、見本表示体１２，４０と共通の見本表示体支持具１１に対して取り付けることができるようになっている。
【００４１】
この見本表示体は、上述の実施例と同様に、透光性を有する熱可塑性合成樹脂材をプレス加工して成形されるとともに、図に示す一点鎖線３２に沿って見本表示体１２の外輪郭を切り取った後、二点鎖線３３にそって下部を斜めにカットし、傾斜部２２を形成し完成する。
【図面の簡単な説明】
【００４２】
【図１】本発明に係る自動販売機用商品見本を見本展示用ステージに取り付けた状態を示す縦断面図である。
【図２】同上の見本展示用ステージに取り付けた状態を示す斜視図である。
【図３】図１中の商品見本を示す分解斜視図である。
【図４】同上の商品見本を示す後方からの斜視図である。
【図５】図３中の見本表示体支持具を示す正面図である。
【図６】同上の見本表示体支持具を示す背面図である。
【図７】同上の見本表示体支持具を示す側面図である。
【図８】図３中の見本表示体のプレス加工品を示す斜視図である。
【図９】本発明に係る自動販売機用商品見本の他の実施例を示す分解斜視図である。
【図１０】同上の自動販売機用商品見本の後方からの斜視図である。
【図１１】本発明に係る自動販売機用商品見本の他の実施例における見本表示体のプレス加工品を示す斜視図である。
【図１２】従来の自動販売機用商品見本の使用状態を示す縦断面図である。
【符号の説明】
【００４３】
１  見本展示用ステージ
３  照明器具（蛍光灯）
４  見本装着プレート
５  取付孔
１０  商品見本
１１  見本表示体支持具
１２  見本表示体
１３  基盤部
１４  見本表示体取付部
１５  光透過孔
１６  固定用凸部
１６ａ  溝
１７  下縁支持部
１８  係止突起
１９  係止孔
２０  側壁
２１  係止凹部
２２  傾斜部
２３  折り目
２４  係止片
２５  係止突起
３０  熱可塑性樹脂材製板材
３１  印刷
３２、３３  点線（切り取り線）
【図１】
2005173850.tif 000003
【図２】
2005173850.tif 000004
【図３】
2005173850.tif 000005
【図４】
2005173850.tif 000006
【図５】
2005173850.tif 000007
【図６】
2005173850.tif 000008
【図７】
2005173850.tif 000009
【図８】
2005173850.tif 000010
【図９】
2005173850.tif 000011
【図１０】
2005173850.tif 000012
【図１１】
2005173850.tif 000013
【図１２】
2005173850.tif 000014
【手続補正書】
【提出日】平成15年12月10日(2003.12.10)
【手続補正１】
【補正対象書類名】明細書
【補正対象項目名】００３５
【補正方法】変更
【補正の内容】
【００３５】
この見本表示体１２を成形するには、まず、透光性を有する熱可塑性樹脂材からなる板材３０に商品を表示する印刷３１を施す。